(57)【特許請求の範囲】
【請求項１】
一対の基板と、該一対の基板間に挟持された液晶と、一方の前記基板に設けられた複数のデータ線と、他方の前記基板に設けられた複数の走査線と、前記データ線と前記走査線との間に直列に接続されたスイッチング素子及び前記液晶とからなる複数の画素を備えた液晶表示パネルの駆動装置であって、
基準クロックをカウントする第１カウンタと、
水平同期信号をカウントする第２カウンタと、
前記第１カウンタと前記第２カウンタの各々のカウント値のＬＳＢに基づく排他的論理和の演算結果の値と、Ｍ（但し、Ｍは自然数）通りの階調レベルを示す複数ビットの元画像データのうちのＬＳＢの値との論理積の演算結果に応じて、当該ＬＳＢを除いた元画像データをそのままにして複数ビットの第１の画像データとして出力する、又は当該ＬＳＢを除いた元画像データに１を加算して複数ビットの第２の画像データとして出力する加算回路と、
水平走査期間に、階調レベルに対応したＮ（但し、ＮはＭ未満の自然数）通りのパルス幅が異なるパルスを生成する生成回路と、
行方向及び列方向に互いに隣接する４つの画素において、前記加算回路から出力された前記第１の画像データが示す階調レベルｎに対応する前記パルス幅を有するデータ信号を前記４つの画素の対角に位置する２つの画素にそれぞれ供給して表示させ、前記加算回路から出力された前記第２の画像データが示す階調レベルｎ＋１に対応する前記パルス幅を有するデータ信号を前記４つの画素の残りの２つの画素にそれぞれ供給して表示させるドライバ回路と、を備え、
前記階調レベルｎのデータ信号と前記階調レベルｎ＋１のデータ信号によって階調レベルｎ＋０．５を表示する
ことを特徴とする液晶表示パネルの駆動装置。
【請求項２】
一対の基板と、該一対の基板間に挟持された液晶と、一方の前記基板に設けられた複数のデータ線と、他方の前記基板に設けられた複数の走査線と、前記データ線と前記走査線との間に直列に接続されたスイッチング素子及び前記液晶とからなる複数の画素を備えた液晶表示パネルの駆動装置であって、
基準クロックをカウントする第１カウンタと、
水平同期信号をカウントする第２カウンタと、
垂直同期信号をカウントする第３カウンタと、
前記第１カウンタ、前記第２カウンタ及び前記第３カウンタの各々のカウント値のＬＳＢに基づく排他的論理和の演算結果の値と、Ｍ（但し、Ｍは自然数）通りの階調レベルを示す複数ビットの元画像データのうちのＬＳＢの値との論理積の演算結果に応じて、当該ＬＳＢを除いた元画像データをそのままにして複数ビットの第１の画像データとして出力する、又は当該ＬＳＢを除いた元画像データに１を加算して複数ビットの第２の画像データとして出力する加算回路と、
水平走査期間に、階調レベルに対応してＮ（但し、ＮはＭ未満の自然数）通りのパルス幅が異なるパルスを生成する生成回路と、
行方向及び列方向に互いに隣接する４つの画素において、一のフレーム又はフィールドでは前記加算回路から出力された前記第１の画像データが示す階調レベルｎに対応する前記パルス幅を有するデータ信号を前記４つの画素の対角に位置する２つの画素に供給して表示させ、前記加算回路から出力された前記第２の画像データが示す階調レベルｎ＋１に対応する前記パルス幅を有するデータ信号を前記４つの画素の残りの２つの画素に供給して表示させ、次のフレーム又はフィールドでは前記階調レベルｎに対応するパルス幅を有するデータ信号と前記階調レベルｎ＋１に対応するパルス幅を有するデータ信号を前記一のフレーム又はフィールドと交互になるように前記４つの画素にそれぞれ供給して表示させるドライバ回路と、を備え、
前記階調レベルｎのデータ信号と前記階調レベルｎ＋１のデータ信号によって階調レベルｎ＋０．５を表示する
ことを特徴とする液晶表示パネルの駆動装置。
【請求項３】
請求項１又は２に記載の液晶表示パネルの駆動装置と前記液晶表示パネルとを備えたことを特徴とする液晶表示装置。
【請求項４】
前記スイッチング素子は、ＭＩＭ（Metal Insulator Metal）駆動素子からなることを特徴とする請求項３に記載の液晶表示装置。
【請求項５】
請求項３又は４に記載の液晶表示装置を備えたことを特徴とする電子機器。
【発明の詳細な説明】
【０００１】
【発明の属する技術分野】
本発明は、液晶表示パネルの駆動装置、液晶表示装置及び電子機器の技術分野に属し、特に、ＭＩＭ（Metal Insulator Metal）駆動素子等の双方向ダイオード特性を有する２端子型非線形素子を用いたアクティブマトリクス駆動方式の液晶表示パネルの駆動装置、該駆動装置を備えた液晶表示装置（液晶表示モジュール）及び該液晶表示装置を備えた電子機器の技術分野に属する。
【０００２】
【従来の技術】
従来、アクティブマトリクス駆動方式の液晶表示パネルとしては、ＴＦＴ（薄膜トランジスタ）駆動素子を用いたものの他に、ＭＩＭ駆動素子等の双方向ダイオード特性を有する２端子型非線形素子を用いたものがある。ＭＩＭ駆動素子等は、急峻なしきい値を持つため、従来の単純マトリクス駆動方式と比較すると画素間におけるクロストークの問題が少ない点で有利であり、ＴＦＴ駆動素子と比較すると、素子構成や製造工程が比較的簡易な点で有利である。
【０００３】
この種のＭＩＭ駆動素子等を用いた液晶表示パネルにおける階調表示は、データ側ドライバ回路として２値ドライバ回路を使用し、例えばＰＷＭ（パルス幅変調）のように、各駆動素子を選択する期間である１選択期間（以下、１Ｈ期間と称する）中のデータ信号の２値（オン又はオフ）を取る時間的な割合を階調レベルに応じて制御することにより行うのが一般的である。この階調表示について、図２６を参照して、説明する。
【０００４】
図２６に示したように、データ側ドライバ回路には、１Ｈ期間毎に、１Ｈ期間の開始タイミングを示すＲＥＳ信号が入力される。ここで、上述した１Ｈ期間中の２値を取る時間的な割合と液晶表示パネルの透過率とは、一般にリニアな関係とはならない。例えば６４階調の場合、１Ｈ期間中のオンを取る幅を変化させた場合に得られる各階調レベル０（例えば黒）、１、２、…、６３（例えば白）と当該オン幅とは、液晶の特性及び液晶表示パネルの特性等により図２７のグラフに示すような関係を持つ。
【０００５】
このため、ＭＩＭ駆動素子を用いた液晶表示パネルにおける階調表示は、このような関係に基づいて、入力データの示す階調レベルに応じてデータ信号のオン幅を変化させる必用性がある。より具体的には、図２７から明らかなように、階調レベルが高くなる程、即ち、階調レベル０側から階調レベル６３側へ近付く程に、オン幅の変化率は減少して行くので、より僅かなオン幅の差を制御することが必要になる。
【０００６】
このため従来は例えば、図２６の上から２段目に示すように、階調レベルの差に応じたデータ信号のオン幅の差に対応して間隔が異なる、“階調数−２”個（例えば、６４階調の場合には６２個）のパルスの列からなるＧＣＰ（グレイスケールコントロール）信号が生成される。より具体的には、図２７のような関係の下では、このＧＣＰ信号は、図２８に各パルス（各階調レベル）に対する各パルス間隔を示すように、階調レベルが上がるに従って間隔が徐々に狭くなる６２個のパルスの列からなる。
【０００７】
そして、このＧＣＰ信号に基づいて、階調レベルの制御は以下のように行われる。即ち、図２６において、各１Ｈ期間に対応してＧＣＰ信号が生成されると、この１Ｈ期間に表示すべき階調レベルを示す例えば６ビットの表示データが、階調レベル２を示していたとすると、対応する１Ｈ期間のうちＧＣＰ信号中の２番目のパルスから当該１Ｈ期間の終了までの期間だけデータ信号はオン（例えば、高電圧レベル）とされる。次に、表示データが例えば階調レベル５を示していたとすると、対応する１Ｈ期間のうちＧＣＰ信号中の５番目のパルスから当該１Ｈ期間の終了までの期間だけデータ信号はオン（例えば、低電圧レベル）とされる。また、次に表示データが例えば階調レベル０を示していたとすると、対応する１Ｈ期間の最後までデータ信号はオフ（例えば、高電圧レベル）とされる。尚、１Ｈ期間毎にオンに対応する電圧レベルが反転するのは、液晶を交流駆動するからであり、図２６に示すように走査信号のオン／オフ電圧も、１Ｈ期間毎（行毎）に反転されている。
【０００８】
以上の結果、図２６の最下段に示したように、一つの画素電極（即ち、図示の表示データが供給される一つのデータ線と、走査線（Ｎ行目）との間に接続された画素電極）に印加される印加信号（＝走査信号−データ信号）が、対応するデータ信号のオン幅に対応した期間だけＭＩＭ駆動素子のしきい値を越えて当該ＭＩＭ駆動素子をオン状態（低抵抗状態）とする。この結果、データ信号のオン幅に対応した実効電圧が当該画素電極とデータ線又は走査線に挟持された液晶層部分に加えられる。このように、データ信号のオン幅は、画素へのデータ書込み期間とほぼ一致し、更にデータ信号のオン幅が階調レベルを決定することになる。
【０００９】
以上説明したように、従来のＧＣＰ信号を用いた階調表示技術によれば、 Ｎ−２個のパルスの列からなるＧＣＰ信号に基いて、Ｎ通りのオン幅のデータ信号を用いることにより、Ｎ通りの階調レベルを表示できる。
【００１０】
【発明が解決しようとする課題】
アクティブマトリクス駆動方式の液晶表示パネルにおいては、高階調化、即ち階調数を増すことにより、より高品位の画像を表示するという一般的な要請がある。
【００１１】
しかしながら、上述した従来の技術によれば、以下の問題点がある。即ち先ず、階調数を増そうとすると、階調レベルが高い側における前述のＧＣＰ信号を構成するパルス列の間隔が狭まるため、ＧＣＰ信号を生成する回路やデータ側ドライバに高速動作させる必要性が生じてしまう。このためには、動作クロックの周期を少なくともＧＣＰ信号中の最小パルス間隔以下とする必要性が生じ、高性能のクロックが必用となると共に消費電力が増加してしまう。更にこのように高速動作を行うと、温度変化等の外的影響や動作環境等に起因したＧＣＰ信号やデータ信号中のパルスの遅延時間の少しの変化が、階調レベルを狂わせる原因となってしまう。特に簡易な構成及び製造方法を長所とするＭＩＭ駆動素子等を用いた液晶表示パネルを備えた液晶表示装置（液晶表示モジュール）においては、このような駆動装置部における複雑高度化及びそれに伴う製造コストの上昇は、その存在意義が問われる重大問題となる。
【００１２】
本発明は上述した問題点に鑑みなされたものであり、比較的簡易な構成を用いて高階調化を可能ならしめる、ＭＩＭ駆動素子等の双方向ダイオード特性を有する２端子型非線形素子を用いたアクティブマトリクス駆動方式の液晶表示パネルの駆動装置、該駆動装置を備えた液晶表示装置及び該液晶表示装置を備えた電子機器を提供することを課題とする。
【００１３】
【課題を解決するための手段】
本発明の液晶表示パネルの駆動装置は、一対の基板と、該一対の基板間に挟持された液晶と、一方の前記基板に設けられた複数のデータ線と、他方の前記基板に設けられた複数の走査線と、前記データ線と前記走査線との間に直列に接続されたスイッチング素子及び前記液晶とからなる複数の画素を備えた液晶表示パネルの駆動装置であって、基準クロックをカウントする第１カウンタと、水平同期信号をカウントする第２カウンタと、前記第１カウンタと前記第２カウンタの各々のカウント値のＬＳＢに基づく排他的論理和の演算結果の値と、Ｍ（但し、Ｍは自然数）通りの階調レベルを示す複数ビットの元画像データのうちのＬＳＢの値との論理積の演算結果に応じて、当該ＬＳＢを除いた元画像データをそのままにして複数ビットの第１の画像データとして出力する、又は当該ＬＳＢを除いた元画像データに１を加算して複数ビットの第２の画像データとして出力する加算回路と、  水平走査期間に、階調レベルに対応したＮ（但し、ＮはＭ未満の自然数）通りのパルス幅が異なるパルスを生成する生成回路と、行方向及び列方向に互いに隣接する４つの画素において、前記加算回路から出力された前記第１の画像データが示す階調レベルｎに対応する前記パルス幅を有するデータ信号を前記４つの画素の対角に位置する２つの画素にそれぞれ供給して表示させ、前記加算回路から出力された前記第２の画像データが示す階調レベルｎ＋１に対応する前記パルス幅を有するデータ信号を前記４つの画素の残りの２つの画素にそれぞれ供給して表示させるドライバ回路と、を備え、前記階調レベルｎのデータ信号と前記階調レベルｎ＋１のデータ信号によって階調レベルｎ＋０．５を表示することを特徴とする。
また、本発明の液晶表示パネルの駆動装置は、一対の基板と、該一対の基板間に挟持された液晶と、一方の前記基板に設けられた複数のデータ線と、他方の前記基板に設けられた複数の走査線と、前記データ線と前記走査線との間に直列に接続されたスイッチング素子及び前記液晶とからなる複数の画素を備えた液晶表示パネルの駆動装置であって、基準クロックをカウントする第１カウンタと、水平同期信号をカウントする第２カウンタと、垂直同期信号をカウントする第３カウンタと、前記第１カウンタ、前記第２カウンタ及び前記第３カウンタの各々のカウント値のＬＳＢに基づく排他的論理和の演算結果の値と、Ｍ（但し、Ｍは自然数）通りの階調レベルを示す複数ビットの元画像データのうちのＬＳＢの値との論理積の演算結果に応じて、当該ＬＳＢを除いた元画像データをそのままにして複数ビットの第１の画像データとして出力する、又は当該ＬＳＢを除いた元画像データに１を加算して複数ビットの第２の画像データとして出力する加算回路と、水平走査期間に、階調レベルに対応してＮ（但し、ＮはＭ未満の自然数）通りのパルス幅が異なるパルスを生成する生成回路と、行方向及び列方向に互いに隣接する４つの画素において、一のフレーム又はフィールドでは前記加算回路から出力された前記第１の画像データが示す階調レベルｎに対応する前記パルス幅を有するデータ信号を前記４つの画素の対角に位置する２つの画素に供給して表示させ、前記加算回路から出力された前記第２の画像データが示す階調レベルｎ＋１に対応する前記パルス幅を有するデータ信号を前記４つの画素の残りの２つの画素に供給して表示させ、次のフレーム又はフィールドでは前記階調レベルｎに対応するパルス幅を有するデータ信号と前記階調レベルｎ＋１に対応するパルス幅を有するデータ信号を前記一のフレーム又はフィールドと交互になるように前記４つの画素にそれぞれ供給して表示させるドライバ回路と、を備え、前記階調レベルｎのデータ信号と前記階調レベルｎ＋１のデータ信号によって階調レベルｎ＋０．５を表示することを特徴とする。
具体的には、第１に、上記課題を解決するために、一対の基板と、該一対の基板間に挟持された液晶と、一方の基板に設けられた複数のデータ線と、他方の基板に設けられた複数の走査線と、前記データ線と前記走査線との間に直列に接続されたスイッチング素子及び前記液晶とからなる複数の画素を備えた液晶表示パネルの駆動装置であって、Ｍ（但し、Ｍは自然数）通りの階調レベルを示す画像データが各画素且つ各所定時間単位について入力され、Ｎ（但し、ＮはＭ未満の自然数）通りの幅が異なるパルスからなるデータ信号を、前記各画素に対し複数の前記所定時間単位に亘る複数のデータ信号をなす複数のパルスの幅の第１の平均値（即ち、複数Ｌの所定時間単位内の複数のパルス幅Ｗｉ（ｉ＝１，…，Ｌ）の時間に対する平均値ΣＷｉ／Ｌ）及び前記各画素を含む所定領域単位内に夫々位置する複数の画素に対する複数のデータ信号をなす複数のパルスの幅の第２の平均値（即ち、所定領域単位をなす複数Ｌの画素内の複数のパルス幅Ｗｉ（ｉ＝１，…，Ｌ）の面積に対する平均値ΣＷｉ／Ｌ）のうちの少なくとも一方が前記各画素の前記階調レベルに対応するように生成し、該生成したデータ信号を前記複数のデータ線に時分割で供給するデータ信号駆動手段と、走査信号を複数の走査線に時分割で供給する走査信号駆動手段とを備えたことを特徴とする。
【００１４】
上記液晶表示パネルの駆動装置によれば、データ信号駆動手段には、例えば６４階調の場合には階調レベル０、１、２、…、６３のうちの一つのレベルを示す６ビットのデジタル信号等の、Ｍ通りの階調レベルを示す画像データが、各画素且つ、例えばフィールド単位などの各所定時間単位について入力される。すると、データ信号駆動手段により、例えば６４階調に対し３３通りの如き、Ｍより少ないＮ通りの幅が異なるパルスからなるデータ信号が、各画素に対し複数の所定時間単位に亘る複数のデータ信号をなす複数のパルスの幅の第１の平均値が、各画素の階調レベルに対応するように生成される。従って、例えば、階調レベル５を表示すべき画素に対し、階調レベル４及び階調レベル６のデータ信号が、フィールド毎に交互に生成される。この場合、“（４＋６）／２  ＝  ５”のように、生成される信号データについての階調レベルの第１の平均値は、当該画素に表示すべき階調レベル５となっている。尚、例えば階調レベル４を表示すべき画素に対しては、第１の平均値は階調レベル４に対応しているので階調レベル４のデータ信号がそのまま生成される。或いは、この第１の平均値を階調レベルに対応させるのに代えて又は加えて、データ信号駆動手段により、各画素を含む所定領域単位内に夫々位置する複数の画素に対する複数のデータ信号をなす複数のパルスの幅の第２の平均値が、各画素の階調レベルに対応するように生成される。従って、例えば、階調レベル５を表示すべき４つの相隣接する画素があった場合には、階調レベル４及び階調レベル６のデータ信号が、対角位置にある画素に対し夫々生成される。この場合、“（４×２＋６×２）／４  ＝  ５”のように、生成される信号データについての階調レベルの第２の平均値は、当該画素に表示すべき階調レベル５となっている。尚、例えば階調レベル４を表示すべき４つの相隣接する画素があった場合には、第２の平均値は階調レベル４に対応しているので階調レベル４のデータ信号がそのまま生成される。このように第１の平均値及び第２の平均値のうちの少なくとも一方が階調レベルに対応するように生成されたデータ信号は、データ信号駆動手段により、少なくとも一列毎に複数のデータ線に時分割で供給される。他方、走査信号駆動手段により、走査信号は、少なくとも一行毎に複数の走査線に時分割で供給される。従って、これらの信号が供給されたデータ線及び走査線に対応する画素電極に接続された２端子型非線形素子は、これらの信号線及び走査線間の電圧により液晶を介して印加される電圧が所定のしきい値を超えてオン状態とされる。これらの結果、対応する画素電極には、液晶駆動電圧が供給される。ここで、前述のように第１の平均値を階調レベルに対応させる場合には、視覚に対して十分に小さくフィールド単位等の所定時間単位を設定してやれば、例えば階調レベル５に対応する幅のパルスを用いることなく、階調レベル５に対応する幅のパルスで駆動したのと同じような表示が視覚上得られる。また、第２の平均値を階調レベルに対応させる場合には、視覚に対して十分に小さく所定領域単位を設定してやれば、例えば階調レベル５に対応する幅のパルスを用いることなく、階調レベル５に対応する幅のパルスで駆動したのと同じような表示が視覚上得られる。
【００１５】
さらに、上記駆動装置において、前記データ信号駆動手段は、少なくとも一つの前記データ信号をなす階調レベルｍ（但し、ｍは０以上Ｍ未満の整数）に対応するパルスの幅と少なくとも一つの前記データ信号をなす階調レベルｍ＋２に対応するパルスの幅との第１の平均値及び第２の平均値のうちの少なくとも一方が階調レベルｍ＋１に対応するように前記データ信号を生成することを特徴とする。
【００１６】
上記液晶表示パネルの駆動装置によれば、データ信号駆動手段により、少なくとも一つのデータ信号をなす階調レベルｍ（例えば、“４”）に対応するパルスの幅と少なくとも一つのデータ信号をなす階調レベルｍ＋２（例えば、“６”）に対応するパルスの幅との第１の平均値を用いて、階調レベルｍ＋１（例えば、“５”）に対応する前記データ信号が、生成される。或いは、この第１の平均値を階調レベルに対応させるのに代えて又は加えて、データ信号駆動手段により、階調レベルｍ（例えば、“４”）に対応するパルスの幅と階調レベルｍ＋２（例えば、“６”）に対応するパルスの幅との第２の平均値を用いて、階調レベルｍ＋１（例えば、“５”）に対応する前記データ信号が、生成される。
【００１７】
尚、データ信号駆動手段により、例えば、三つのデータ信号をなす階調レベルｍに対応するパルス（例えば、“４”）と、一つのデータ信号をなす階調レベルｍ＋４に対応するパルス（例えば、“８”）との第１の平均値又は第２の平均値を用いれば、階調レベルｍ＋１（例えば、“５”）に対応するデータ信号を生成するというように、２通りの階調レベルを様々な割合で平均化することにより、それらの間にある様々な階調レベルを視覚上得られる。
【００１８】
さらに、上記駆動装置において、前記データ信号駆動手段は、前記所定領域単位に含まれる複数の画素についての前記第２の平均値が前記階調レベルに対応し且つ前記所定領域単位に含まれる複数の画素の夫々についての前記第１の平均値が前記階調レベルに対応するように前記データ信号を生成することを特徴とする。
【００１９】
上記液晶表示パネルの駆動装置によれば、データ信号駆動手段により、以下のようにデータ信号は生成される。即ち、例えば相隣接した２つ、４つ、６つ、８つ等の画素など、所定領域単位に含まれる複数の画素についての第２の平均値が、或る所定時間単位において階調レベルに対応するように、データ信号は生成される。より具体的には、例えば所定領域単位が２つの隣接画素からなる場合には、左の画素が階調レベル“４”に対応し、右の画素が階調レベル“６”に対応する（第２の平均値は“５”となる）ように、データ信号は生成される。そして次に、これら所定領域単位に含まれる複数の画素の夫々についての、第１の平均値が、次の時間単位において階調レベルに対応するように、即ち、例えば、左の画素が階調レベル“６”に対応し、右の画素が階調レベル“４”に対応する（第２の平均値は“５”となる）ように、データ信号は生成される。
【００２０】
さらに、上記駆動装置において、前記データ信号駆動手段及び前記走査信号駆動手段は、前記所定時間単位毎に前記データ信号及び前記走査信号の電圧極性を前記データ信号の中間値を基準として反転させるように前記データ信号及び前記走査信号を夫々生成し、且つ前記データ信号駆動手段は前記データ信号をなすパルスの幅を前記所定時間単位の２倍の時間は一定の値に固定することを特徴とする。
【００２１】
上記液晶表示パネルの駆動装置によれば、データ信号駆動手段及び走査信号駆動手段により、データ信号及び前記走査信号は以下のように夫々生成される。即ち、例えば一フィールド単位などの所定時間単位毎にデータ信号及び走査信号の電圧極性がデータ信号の中間電位を基準として反転される。従って、液晶に対して、基本的に交流電圧駆動を行うことが出来る。ここで、特に、データ信号駆動手段により、データ信号をなすパルスの幅が、例えば二フィールド単位分など、所定時間単位の２倍の時間は一定の値に固定されるので、仮に複数の時間単位に亘る複数のデータ信号をなすパルスの幅が一定でなくとも、所定時間単位の２倍の時間毎にデータ信号による電圧が打ち消されるので、直流成分が液晶に印加される事態が効果的に阻止される。
【００２２】
さらに、本発明の液晶表示装置は、上記液晶表示パネルの駆動装置と前記液晶表示パネルとを備えたことを特徴とする。
【００２３】
上記液晶表示装置（液晶表示モジュール）によれば、液晶表示パネルは、特に２端子型非線形素子を備えているが、上述した本願発明の駆動装置により、Ｎ通りの幅のパルスからなるデータ信号を用いて、それより多いＭ通りの階調レベルを実現できる。
【００２４】
さらに、上記液晶表示装置において、前記２端子型非線形素子は、ＭＩＭ（Metal Insulator Metal）駆動素子からなることを特徴とする。
【００２５】
上記液晶表示装置によれば、液晶表示パネルは、特にＭＩＭ駆動素子を備えているが、上述した本願発明の駆動装置により、Ｎ通りの幅のパルスからなるデータ信号を用いて、それより多いＭ通りの階調レベルを実現できる。
【００２６】
さらに、本発明の電子機器は上記液晶表示装置を備えたことを特徴とする。
【００２７】
上記電子機器によれば、電子機器は、上述した本願発明の液晶表示装置を備えており、比較的簡易な構成により高階調表示が可能である。
【００２８】
本発明のこのような作用及び他の利得は次に説明する実施の形態から明らかにされよう。
【００２９】
【発明の実施の形態】
以下、本発明の実施の形態を図面に基づいて説明する。
【００３０】
（ＭＩＭ駆動素子）
図１は、本発明の実施の形態である液晶表示装置を構成する液晶表示パネルに備えられる２端子型非線形素子の一例としてのＭＩＭ駆動素子を画素電極と共に模式的に示す平面図であり、図２は、図１のＡ−Ａ断面図である。尚、図２におては、各層や各部材を図面上で認識可能な程度の大きさとするため、各層や各部材毎に縮尺を異ならしめてある。
【００３１】
図１及び図２において、ＭＩＭ駆動素子２０は、第１基板の一例を構成するＭＩＭアレイ基板３０上に形成された絶縁膜３１を下地として、その上に形成されており、絶縁膜３１の側から順に第１金属膜２２、絶縁層２４及び第２金属膜２６から構成され、ＭＩＭ構造（Metal  Insulator  Metal構造）を持つ。そして、２端子型のＭＩＭ駆動素子２０の第１金属膜２２は、一方の端子としてＭＩＭアレイ基板３０上に形成された走査線１２に接続されており、第２金属膜２６は、他方の端子として画素電極３４に接続されている。尚、走査線１２に代えてデータ線（図６参照）をＭＩＭアレイ基板３０上に形成し、画素電極３４に接続してもよい。
【００３２】
ＭＩＭアレイ基板３０は、例えばガラス、プラスチックなどの絶縁性及び透明性を有する基板からなる。
【００３３】
下地をなす絶縁膜３１は、例えば酸化タンタルからなる。但し、絶縁膜３１は、第２金属膜２６の堆積後等に行われる熱処理により第１金属膜２２が下地から剥離しないこと及び下地から第１金属膜２２に不純物が拡散しないことを主目的として形成されるものである。従って、ＭＩＭアレイ基板３０を、例えば石英基板等のように耐熱性や純度に優れた基板から構成すること等により、これらの剥離や不純物の拡散が問題とならない場合には、絶縁膜３１は省略することができる。
【００３４】
第１金属膜２２は、導電性の金属薄膜からなり、例えば、タンタル単体又はタンタル合金からなる。若しくは、タンタル単体又はタンタル合金を主成分として、これに例えば、タングステン、クロム、モリブデン、レニウム、イットリウム、ランタン、ディスプロリウムなどの周期率表で第６、第７又は第８族に属する元素を添加してもよい。この場合、添加する元素としては、タングステンが好ましく、その含有割合は、例えば０．１〜６原子％が好ましい。
【００３５】
絶縁膜２４は、例えば化成液中で第１金属膜２２の表面に陽極酸化により形成された酸化膜からなる。
【００３６】
第２金属膜２６は、導電性の金属薄膜からなり、例えば、クロム単体又はクロム合金からなる。
【００３７】
画素電極３４は、例えばＩＴＯ（Indium  Tin  Oxide）膜等の、透明導電膜からなる。
【００３８】
また、図３の断面図に示すように、上述の第２金属膜及び画素電極は、同一のＩＴＯ膜等からなる透明導電膜３６から構成されてもよい。このような構成を持つＭＩＭ駆動素子２０’は、製造の際に、第２金属膜及び画素電極を同一の製造工程により形成できる利点がある。尚、図３において図２と同様の構成要素には同一参照符号を付し、その説明は省略する。
【００３９】
更にまた、図４の平面図及び図５のＢ−Ｂ断面図に示すように、ＭＩＭ駆動素子４０は、所謂バック・ツー・バック（Back  To  Back）構造、即ち第１のＭＩＭ駆動素子４０ａと第２のＭＩＭ駆動素子４０ｂとを極性を反対にして直列に接続した構造を持つように構成されてもよい。尚、図４及び図５において図１及び図２と同様の構成要素には同一参照符号を付し、その説明は省略する。
【００４０】
図４及び図５において、第１のＭＩＭ駆動素子４０ａは、ＭＩＭアレイ基板３０上に形成された絶縁膜３１を下地として、この上に順に形成されたタンタル等からなる第１金属膜４２、陽極酸化膜等からなる絶縁膜４４及びクロム等からなる第２金属膜４６ａから構成されている。他方、第２のＭＩＭ駆動素子４０ｂは、ＭＩＭアレイ基板３０上に形成された絶縁膜３１を下地として、この上に順に形成された第１金属膜４２、絶縁膜４４及び第１金属膜４６ａから離間した第２金属膜４６ｂから構成されている。
【００４１】
第１のＭＩＭ駆動素子４０ａの第２金属膜４６ａは、走査線４８に接続され、第２のＭＩＭ駆動素子４０ｂの第２金属膜４６ｂは、ＩＴＯ膜等からなる画素電極４５に接続されている。従って、走査信号は、走査線４８から第１及び第２のＭＩＭ駆動素子４０ａ及び４０ｂを介して画素電極４５に供給される。尚、走査線４８に代えてデータ線（図６参照）をＭＩＭアレイ基板３０上に形成し、第１のＭＩＭ駆動素子４０ａの第２金属膜４６ａに接続するように構成してもよい。
【００４２】
この図４及び図５に示した例では、絶縁膜４４は、図１及び図２に示した例における絶縁膜２４に比べて膜厚が小さく、例えば半分程度の膜厚に設定されている。
【００４３】
以上、２端子型非線形素子としてＭＩＭ駆動素子の幾つかの例について説明したが、ＺｎＯ（酸化亜鉛）バリスタ、ＭＳＩ（Metal  Semi-Insulator）駆動素子、ＲＤ（Ring  Diode）などの双方向ダイオード特性を有する２端子型非線形素子を本実施の形態のアクティブマトリクス駆動方式の液晶表示パネルに適用可能である。
【００４４】
（液晶表示パネル）
次に、上述のＭＩＭ駆動素子２０を用いたアクティブマトリクス駆動方式の液晶表示パネルの実施の形態について図６及び図７を参照して説明する。尚、図６は、本実施の形態における液晶表示パネルを駆動回路と共に示した等価回路図であり、図７は、本実施の形態における液晶表示パネルを模式的に示す部分破断斜視図である。
【００４５】
図６において、液晶表示パネル１０は、ＭＩＭアレイ基板３０又はその対向基板上に配列された複数の走査線１２が走査信号駆動回路１００に接続されており、ＭＩＭアレイ基板３０又はその対向基板上に配列された複数のデータ線１４がデータ信号駆動回路１１０に接続されている。尚、走査信号駆動回路１００及びデータ信号駆動回路１１０は、図１及び図２に示したＭＩＭアレイ基板３０又はその対向基板上に形成されていてもよく、この場合には、駆動回路を含んだ液晶表示装置（液晶表示モジュール）となる。或いは、走査信号駆動回路１００及びデータ信号駆動回路１１０は、液晶表示パネルとは独立したＩＣから構成され、所定の配線を経て走査線１２やデータ線１４に接続されてもよく、この場合には、駆動回路を含まない液晶表示装置（液晶表示パネル）となる。
【００４６】
各画素領域１６において、走査線１２は、ＭＩＭ駆動素子２０の一方の端子に接続されており（図１参照）、データ線１４は、液晶層１８及び図１に示した画素電極３４を介してＭＩＭ駆動素子２０の他方の端子に接続されている。従って、各画素領域１６に対応する走査線１２に走査信号が供給され、データ線１４にデータ信号が供給されると、当該画素領域におけるＭＩＭ駆動素子２０がオン状態となり、ＭＩＭ駆動素子２０を介して、画素電極３４及びデータ線１４間にある液晶層１８に駆動電圧が印加される。
【００４７】
尚、走査信号駆動回路１００及びデータ信号駆動回路１１０をＭＩＭアレイ基板３０上に設けると、ＭＩＭ駆動素子２０についての薄膜形成プロセスと走査信号駆動回路１００及びデータ信号駆動回路１１０についての薄膜形成プロセスとを同時に行える利点がある。但し、例えばＴＡＢ（テープオートメイテッドボンディング）方式で実装された走査信号駆動回路１００及びデータ信号駆動回路１１０を含むＬＳＩに、ＭＩＭアレイ基板３０の周辺部に設けられた異方性導電フィルムを介して走査線１２及びデータ線１４を接続する構成を採れば、液晶表示パネル１０の製造がより容易となる。また、前述のＬＳＩをＭＩＭアレイ基板３０及びその対向基板上に異方性導電フィルムを介して直接実装するＣＯＧ（チップオングラス）方式を用いて走査線１２及びデータ線１４を接続する構成を採ることもできる。
【００４８】
図７において、液晶表示パネル１０は、ＭＩＭアレイ基板３０と、これに対向配置される透明な第２基板の一例を構成する対向基板３２とを備えている。対向基板３２は、例えばガラス基板からなる。ＭＩＭアレイ基板３０には、マトリクス状に複数の透明な画素電極３４が設けられている。複数の画素電極３４は、所定のＸ方向に沿って夫々延びておりＸ方向に直交するＹ方向に配列された複数の走査線１２に夫々接続されている。画素電極３４、ＭＩＭ駆動素子２０、走査線１２等の液晶に面する側には、例えばポリイミド薄膜などの有機薄膜からなりラビング処理等の所定の配向処理が施された配向膜が設けられている。
【００４９】
他方、対向基板３２には、Ｙ方向に沿って夫々延びておりＸ方向に短冊状に配列された複数のデータ線１４が設けられている。データ線１４の下側には、例えばポリイミド薄膜などの有機薄膜からなりラビング処理等の所定の配向処理が施された配向膜が設けられている。この場合データ線１４は、少なくとも画素電極３４と対向する部分については、ＩＴＯ膜等の透明導電膜から形成される。但し、データ線１４に代えて走査線１２を対向基板３２の側に形成する場合には、走査線１２がＩＴＯ膜等の透明導電膜から形成される。
【００５０】
対向基板３２には、液晶表示パネル１０の用途に応じて、例えばストライプ状、モザイク状、トライアングル状等に配列された色材膜からなるカラーフィルタが設けられてもよく、更に、例えばクロムやニッケルなどの金属材料やカーボンやチタンをフォトレジストに分散した樹脂ブラックなどのブラックマトリクスが設けられていてもよい。このようなカラーフィルタやブラックマトリクスにより、一つの液晶表示パネルによるカラー表示を可能としたり、コントラストの向上や色材の混色防止などにより、高品位の画像を表示できるようになる。
【００５１】
このように構成され、画素電極３４とデータ線１４とが対面するように配置されたＭＩＭアレイ基板３０と対向基板３２との間には、対向基板３２の周辺に沿って配置されるシール剤により囲まれた空間に液晶が封入され、液晶層１８（図６参照）が形成される。液晶層１８は、画素電極３４及びデータ線１４からの電界が印加されていない状態で前述の配向膜により所定の配向状態を採る。液晶層１８は、例えば一種又は数種類のネマティック液晶を混合した液晶からなる。シール剤は、両基板３０及び３２をそれらの周辺で貼り合わせるための接着剤であり、両基板間の距離を所定値とするためのスペーサが混入されている。
【００５２】
図６において、走査信号駆動回路１００がパルス的にＭＩＭ駆動素子２０に所定電圧の走査信号を順次送るのに合わせて、データ信号駆動回路１１０は後述のように表示信号の階調レベルに応じたパルス幅を有するデータ信号をデータ線１４に順次送る。図７において、このように画素電極３４及びデータ線１４に電圧が印加されると、この画素電極３４とデータ線１４とに挟まれた部分における液晶層の配向状態が、ＭＩＭ駆動素子２０を介して印加される駆動電圧により変化し、ノーマリーホワイトモードであれば、駆動電圧が印加された状態で入射光がこの液晶部分を通過不可能とされ、ノーマリーブラックモードであれば、駆動電圧が印加された状態で入射光がこの液晶部分を通過可能とされ、全体として液晶表示パネル１０からは表示信号に応じたコントラストを持つ光が出射する。
【００５３】
また、図１から図７には示されていないが、対向基板３２の投射光が入射する側及びＭＩＭアレイ基板３０の投射光が出射する側には夫々、例えば、ＴＮ（ツイステッドネマティック）モード、 ＳＴＮ（スーパーＴＮ）モード、Ｄ−ＳＴＮ（ダブル−ＳＴＮ）モード等の動作モードや、ノーマリーホワイトモード／ノーマリーブラックモードの別に応じて、偏光フィルム、位相差フィルム、偏光板などが所定の方向で配置される。
【００５４】
（駆動回路の第１の実施の形態）
次に、図６に示した走査信号駆動回路１００及びデータ信号駆動回路１１０の第１の実施の形態における構成及び動作について図８から図１０を参照して説明する。
【００５５】
先ず、走査信号駆動手段の一例を構成する走査信号駆動回路１００は、基準クロックに基づいて、所定の波高値（電圧値）及びパルス幅を持つと共に一定周期のパルスからなる走査信号を、各画素電極に印加される電圧がフレーム毎に、データ信号の中間値を基準として反転するように複数の走査線１２に順次印加する。このように、走査信号を反転させる（更に、データ信号もこれに対応して反転させる）のは、液晶層１８を交流駆動することにより、液晶層１８の劣化を防ぐためである。尚、駆動方式に応じて、走査信号を走査線１２に一行毎に時分割で供給してもよいし、例えば３行毎などの複数の行毎に時分割で供給するようにしてもよい。
【００５６】
図８のブロック図に示すように、データ信号駆動手段の一例を構成するデータ信号駆動回路１１０ａは、フレームカウンタ２００、Ｘカウンタ２０２、ＡＮＤゲート２１０、１加算回路２１２、ＧＣＰ生成回路２１４及びＸドライバ回路２１６を備えて構成されている。
【００５７】
データ信号駆動回路１１０ａには、例えば６４通りの階調レベル（階調レベル０〜６３）のうちの一つのレベルを示す６ビットＤ０〜Ｄ５（但し、Ｄ０はＬＳＢ）のデジタル信号が各画素について夫々入力され、更に、水平同期信号ＨSYNC、垂直同期信号ＶSYNC及びＸドライバ回路２１６駆動用の基準クロックＸＣＫが入力される。
【００５８】
ＧＣＰ生成回路２１４は、３２個の比較回路２１４ａ及びこれらの比較結果の論理和を演算する論理和回路２１４ｂから構成されている。これらの比較回路２１４aにより、ＨSYNC毎にリセットされ基準クロックＸＣＫ毎にカウントアップされるＸカウンタ２０２のカウント値を、前述の図２７に示したような特性に基づいて予め定められた３２通りの値と比較する。そして、論理和回路２１４ｂにより、これらの比較回路２１４ａの比較結果の論理和を演算することにより、その演算出力として、前述の図２８に示したような特性を持つ、３２通りの階調レベルの差に応じたＭＩＭ駆動素子２０のオン幅の差に対応して予め間隔が異なる１Ｈ期間当たり３２個のパルスの列からなるＧＣＰ信号を生成する。このように生成されたＧＣＰ信号（図２６の上から２段目参照）は、Ｘドライバ回路２１６のＧＣＰ入力端子に供給される。
【００５９】
フレームカウンタ２００は、ＶSYNC毎にカウントアップされる。フレームカウンタ２００でカウントされたカウント値のＬＳＢと、入力された６ビットのデジタル信号のＬＳＢであるＤ０との論理積がＡＮＤゲート２１０により演算され、コントロール信号として１加算回路２１２のコントロール信号端子に入力される。
【００６０】
１加算回路２１２は、この入力されたコントロール信号のレベルが“Ｈ”のときには、入力された５ビットのデジタル信号に＋１を加算して出力し、入力されたコントロール信号のレベルが“Ｌ”のときには、入力された５ビットのデジタル信号をそのまま出力する。
【００６１】
Ｘドライバ回路２１６は、１加算回路２１２から６ビットのデジタル信号Ｄ０’〜Ｄ５’（但し、Ｄ０’はＬＳＢ）が入力されると、基準クロックＸＣＫに基いて、このデジタル信号Ｄ０’〜Ｄ５’を複数のデータ線１４と一対一対応となっている所定の内部レジスタに保持する。以上のようなデジタル信号Ｄ０〜Ｄ５に対応するデジタル信号Ｄ０’〜Ｄ５’の生成、及びＸドライバ回路２１６の内部レジスタへの転送を順次行うことにより、１水平ライン分のデジタル信号が全てこの内部レジスタ内に保持されることになる。内部レジスタからは、ＬＰ信号をトリガとして、ＧＣＰ生成回路２１４から入力された１Ｈ期間当たり３２個のパルスの列からなるＧＣＰ信号に従って、内部レジスタ内の６ビットのデジタル値が示す階調レベルに対応したパルス幅を持つデータ信号が出力される。以上のように６４階調のデジタル信号Ｄ０〜Ｄ５の入力に対して、３３通りの幅を持つデータ信号が生成され、複数のデータ線１４に供給される。
【００６２】
以上の動作を図９のタイミングチャートを参照して更に説明する。
【００６３】
図９において、各フレーム毎に垂直同期信号ＶSYNCが入力され、これによりフレームカウンタ２００のＬＳＢが１（Ｈレベル）又は０（Ｌレベル）となる。この同期信号ＶSYNCの間に、複数の水平同期信号ＨSYNCが入力される。
【００６４】
そして、ＧＣＰ生成回路２１４からは、１Ｈ期間において、３３通りの階調レベルの差に対応して間隔が徐々に変化する３２個のパルスの列からなるＧＣＰ信号が生成される。
【００６５】
これらの結果、図９の下段に示したように、特定アドレスの画素電極に対する、例えば階調レベルが５であるデジタル信号Ｄ０〜Ｄ５を入力として、同期信号ＶSYNCに基づいて１（Ｈレベル）又は０（Ｌレベル）となるフレームカウンタ２００のＬＳＢが一定である期間により規定されるフレーム毎に、階調レベルが交互に４と６であるデジタル信号Ｄ０’〜Ｄ５’が、１加算回路２１２から出力される。
【００６６】
以上のように、一つの画素について、例えば階調レベル“５”を示すデジタル信号が複数のフレームに亘って入力されたとすれば、１加算回路２１２からは、階調レベル“４”を示すデジタル信号と階調レベル“６”を示すデジタル信号とがフレーム毎に交互に出力され、Ｘドライバ回路２１６に入力される。即ち、複数のフレームに亘る複数のデータ信号の時間的な平均化（第１の平均化）が行われる。
【００６７】
この結果、Ｘドライバ回路２１６からは、当該画素に対して階調レベル“４”に対応するパルス幅を持つデータ信号と階調レベル“６”に対応するパルス幅を持つデータ信号とがフレーム毎に交互にデータ線２１４を介して供給されることになる。
【００６８】
図１０に、以上のように生成されるデータ信号を用いた階調表示の原理を図式的に示す。尚、図９では、フレームカウンタ２００を用いてフレーム毎に異なる階調レベルを交互に出力する構成としたが、フィールド毎に異なる階調レベルを交互に出力しても、ほぼ同様の効果が得られるので、図１０に示す例では、フィールド毎に異なる階調レベルを交互に出力する場合について説明する。ここに、“フレーム”とは、例えばＲ、Ｇ及びＢの夫々の単色光画面を合成してカラー画面を生成する際の合成後の一つの完全なカラー画面の単位や、ＮＴＳＣ方式のインターレースにおける偶数及び奇数フィールド走査により走査される一つの完全な画面の単位などを指す。また、“フィールド”とは、例えばＲ、Ｇ及びＢの夫々の単色光画面を合成してカラー画面を生成する際の当該各単色光フィールドといった単位や、ＮＴＳＣ方式のインターレースにおける偶数又は奇数フィールドといった単位などを指す。
【００６９】
図１０において、ある画素において階調レベルｎを表示する際には、フィールド１〜フィールド４において、階調レベルｎに対応するパルス幅を持つデータ信号が生成され、データ線１４に供給される（左列）。また、ある画素において階調レベルｎ＋１を表示する際には、フィールド１〜フィールド４において、階調レベルｎ＋１に対応するパルス幅を持つデータ信号が生成され、データ線１４に供給される（右列）。これに対し、ある画素において階調レベルｎ＋０．５を表示する際には、フィールド１とフィールド３とでは、階調レベルｎに対応するパルス幅を持つデータ信号が生成され、データ線１４に供給され、且つフィールド２とフィールド４とでは、階調レベルｎ＋１に対応するパルス幅を持つデータ信号が生成され、データ線１４に供給される（中央列）。
【００７０】
以上説明したように、例えば６４階調のデジタル信号が各画素について夫々、例えば、フィールド単位毎に入力されると、データ信号駆動回路１１０ａにより、３３通りの幅が異なるパルスからなるデータ信号が、各画素に対し複数のフィールド単位に亘る複数のデータ信号をなす複数のパルスの幅の平均値（第１の平均値）が、各画素の階調レベルに対応するように生成される。このように第１の平均値が階調レベルに対応するように生成されたデータ信号が、データ線１４に供給され、走査信号駆動回路１００により、走査信号が走査線１２に供給されるので、視覚に対して十分に小さくフィールド単位、フレーム単位等の所定時間単位を設定してやれば、例えば奇数の階調レベルに対応する幅のパルスを用いることなく、即ち、偶数の階調レベルに対応する幅のパルスのみを用いて、当該奇数の階調レベルに対応する幅のパルスを供給したのと同じような表示が視覚上得られる。
【００７１】
以上のように、本実施の形態によれば、３３通りの幅のパルスからなるデータ信号を用いて、その約２倍の６４通りの階調レベルを実現できるので、ＧＣＰ信号を構成するパルス列の間隔を狭めることなく、階調数を増やすことが出来る。このため、階調数を増やすために特に階調レベルが高い側におけるＧＣＰ信号を構成するパルス列の間隔を狭めないで済み、ＧＣＰ生成回路２１４やデータ信号駆動回路１１０ａに高速動作させる必要も無くなる。従って、ＧＣＰ信号を構成するパルス列の間隔を狭めるために、Ｘ側の基準クロックＸＣＫの周期を短くする必要性も無く、消費電力の増加も防げる。更にこのように比較的低速な動作を行うことにより、温度変化等の外的影響や動作環境等に起因したＧＣＰ信号やデータ信号を構成するパルスの遅延時間の少しの変化により階調レベルが狂う事態を未然に防止し得、動作の安定性が格段に高まる。
【００７２】
特に簡易な構成及び製造方法を長所とするＭＩＭ駆動素子２０を用いた液晶表示パネル１０においては、このような駆動装置における簡易化及びそれに伴う低コスト化は、非常に有意義である。
【００７３】
尚、図８から図１０に示した実施の形態では、階調レベルｎ及び階調レベルｎ＋１を１：１の時間的割合で交互に表示することにより、その第１の平均値により階調レベルｎ＋１／２を表示するようにしたが、この時間的割合は、１：１に限られるものではない。例えば、これらを１：２の時間的割合で交互に表示することにより、階調レベルｎ＋２／３を表示できるし、これらを２：１の時間的割合で交互に表示することにより、階調レベルｎ＋１／３を表示できるし、これらを１：３の時間的割合で交互に表示することにより、階調レベルｎ＋３／４を表示できるし、これらを３：１の時間的割合で交互に表示することにより、階調レベルｎ＋１／４を表示できる。より一般には、少なくとも一つのデータ信号をなす階調レベルｍに対応するパルスの幅と少なくとも一つのデータ信号をなす階調レベルｍ＋１に対応するパルスの幅との時間的平均値を用いて、階調レベルｍ＋α（０＜α＜１）に対応するデータ信号を生成し得る。
【００７４】
（駆動回路の第２の実施の形態）
次に、走査信号駆動回路１００及びデータ信号駆動回路１１０の第２の実施の形態における構成及び動作について図１１から図１３を参照して説明する。
【００７５】
上述した駆動回路の第１の実施の形態では、第１の平均値を用いて実際には表示されていない階調レベルを視覚上で実現したが、本実施の形態では、第２の平均値、即ち、複数の隣接画素からなる画像表示領域における階調レベルの平均値を用いて実際には表示されていない階調レベルを視覚上で実現する。
【００７６】
第２の実施の形態における、走査信号駆動回路の構成及び動作は、第１の実施の形態の場合と同様である。
【００７７】
図１１に、第２の実施の形態においてデータ信号駆動手段の他の例を構成するデータ信号駆動回路１１０ｂのブロック図を示す。尚、図１１において、図８と同一の構成要素には同一の参照符号を付し、その詳細な説明は省略する。
【００７８】
図１１に示すように、データ信号駆動回路１１０ｂは、Ｘカウンタ２０２、Ｙカウンタ２０４、ＥＸ．ＯＲゲート２０８、ＡＮＤゲート２１０、１加算回路２１２、ＧＣＰ生成回路２１４及びＸドライバ回路２１６を備えて構成されている。
【００７９】
Ｘカウンタ２０２は、ＨSYNC毎にリセットされ、基準クロックＸＣＫ毎によりカウントアップされる。Ｘカウンタ２０２でカウントされたカウント値のＬＳＢと、ＶSYNC毎にリセットされＨSYNC毎にカウントアップされるＹカウンタ２０４のカウント値のＬＳＢとの排他的論理和がＥＸ．ＯＲゲート２０８で演算される。そして、その出力たる排他的論理和と、入力された６ビットのデジタル信号のＬＳＢであるＤ０との論理積がＡＮＤゲート２１０により演算され、コントロール信号として１加算回路２１２のコントロール信号端子に入力される。
【００８０】
以上のように構成された第２の実施の形態の動作を図１２のタイミングチャートを参照して更に説明する。
【００８１】
図１２において、ＧＣＰ生成回路２１４からは、１Ｈ期間において、３３通りの階調レベルの差に対応して間隔が徐々に変化する３２個のパルスの列からなるＧＣＰ信号が生成される。
【００８２】
そして、図１２の下段に示したように、行及び列方向に隣接した複数の画素電極に対する、例えば階調レベル“５”を示すデジタル信号Ｄ０〜Ｄ５を入力として、１加算回路２１２からは、基準クロックＸＣＫに基づいてＸカウンタ２０２のＬＳＢが一定である期間毎に、階調レベルが“４”と“６”とを示すデジタル信号Ｄ０’〜Ｄ５’が交互に出力され、更にＹカウンタ２０４のＬＳＢが一定である１Ｈ期間毎に、階調レベルが“４”と“６”とを示すデジタル信号Ｄ０’〜Ｄ５’が交互に出力され、Ｘドライバ回路２１６に入力される。
【００８３】
以上のように、行及び列方向に隣接した複数の画素電極について、例えば階調レベル“５”を示すデジタル信号が入力されると、１加算回路２１２からは、階調レベル“４”を示すデジタル信号と階調レベル“６”を示すデジタル信号とがこれらの隣接する画素電極に対して交互に出力され、Ｘドライバ回路２１６に入力される。即ち、隣接する複数の画素における面積的・空間的な平均化(第２の平均化)が行われる。
【００８４】
この結果、Ｘドライバ回路２１６からは、これらの隣接する画素電極に対して階調レベル“４”に対応するパルス幅を持つデータ信号と階調レベル“６”に対応するパルス幅を持つデータ信号とが行及び列毎に交互にデータ線２１４を介して供給されることになる。
【００８５】
図１３に、以上のように生成されるデータ信号を用いた階調表示の原理を図式的に示す。
【００８６】
図１３において、例えば、４つの隣接画素において階調レベルｎを表示する際には、これら４つの画素夫々に対して、階調レベルｎに対応するパルス幅を持つデータ信号が生成され、データ線１４に供給される（図１３の左側）。また、４つの隣接画素において階調レベルｎ＋１を表示する際には、これら４つの画素夫々に対して、階調レベルｎ＋１に対応するパルス幅を持つデータ信号が生成され、データ線１４に供給される（図１３の右側）。これに対し、４つの隣接画素において階調レベルｎ＋０．５を表示する際には、これら４つの画素のうち例えば対角に位置する二つの画素夫々に対して、階調レベルｎに対応するパルス幅を持つデータ信号が生成され、データ線１４に供給され、且つ残りの二つの画素夫々に対して、階調レベルｎ＋１に対応するパルス幅を持つデータ信号が生成され、データ線１４に供給される（図１３の中央）。
【００８７】
以上説明したように、例えば６４階調のデジタル信号が各画素について夫々入力されると、データ信号駆動回路により、３３通りの幅が異なるパルスからなるデータ信号が、所定領域単位内にある複数の画素に対する複数のデータ信号をなす複数のパルスの幅の第２の平均値がこの階調レベルに対応するように、生成される。このように第２の平均値が階調レベルに対応するように生成されたデータ信号が、データ線１４に供給され、走査信号駆動回路１００により、走査信号が走査線１２に供給されるので、視覚に対して十分に小さく所定領域単位を設定してやれば、例えば奇数の階調レベルに対応する幅のパルスを用いることなく、即ち偶数の階調レベルに対応する幅のパルスのみを用いて、当該奇数の階調レベルに対応する幅のパルスを供給したのと同じような表示が視覚上得られる。
【００８８】
以上のように、第２の実施の形態によれば、３３通りの幅のパルスからなるデータ信号を用いて、その約２倍の６４通りの階調レベルを実現できるので、第１の実施の形態と同様の効果が得られる。
【００８９】
尚、本実施の形態の場合にも、階調レベルｎ及び階調レベルｎ＋１を１：１の面積的割合で表示することにより、その第２の平均値により階調レベルｎ＋０．５を表示するようにしたが、この面積的割合は、１：１に限られるものではない。例えば、これらを１：２の面積的割合で表示することにより、階調レベルｎ＋２／３を表示できるし、これらを２：１の面積的割合で表示することにより、階調レベルｎ＋１／３を表示でき、より一般には、各種の所定領域単位と面積的割合とを採用することで、各種の階調レベルに対応するデータ信号を生成し得る。
【００９０】
（駆動回路の第３の実施の形態）
次に、走査信号駆動回路１００及びデータ信号駆動回路１１０の第３の実施の形態における構成及び動作について図１４から図１８を参照して説明する。
【００９１】
上述した駆動回路の第１の実施の形態では、第１の平均値を用いて実際には表示されていない階調レベルを視覚上で実現し、第２の実施の形態では、第２の平均値を用いて実際には表示されていない階調レベルを視覚上で実現したが、本実施の形態では、第１の平均値及び第２の平均値の両方を用いて実際には表示されていない階調レベルを視覚上で実現する。
【００９２】
第３の実施の形態における、走査信号駆動回路の構成及び動作は、第１の実施の形態の場合と同様である。
【００９３】
図１４に、第３の実施の形態においてデータ信号駆動手段の他の例を構成するデータ信号駆動回路１１０ｃのブロック図を示す。尚、図１４において、図８又は図１１と同一の構成要素には同一の参照符号を付し、その詳細な説明は省略する。
【００９４】
図１４に示すように、データ信号駆動回路１１０ｂは、フレームカウンタ２００、Ｘカウンタ２０２、Ｙカウンタ２０４、ＥＸ．ＯＲゲート２０６及び２０８、ＡＮＤゲート２１０、１加算回路２１２、ＧＣＰ生成回路２１４並びにＸドライバ回路２１６を備えて構成されている。
【００９５】
フレームカウンタ２００は、ＶSYNC毎にカウントアップされる。フレームカウンタ２００でカウントされたカウント値のＬＳＢと、Ｘカウンタ２０２でカウントされたカウント値のＬＳＢとの排他的論理和が、ＥＸ．ＯＲゲート２０６で演算される。更に、その出力たる排他的論理和と、Ｙカウンタ２０４のカウント値のＬＳＢとの排他的論理和がＥＸ．ＯＲゲート２０８で演算される。そして、その出力たる排他的論理和と、入力された６ビットのデジタル信号のＬＳＢであるＤ０との論理積がＡＮＤゲート２１０により演算され、コントロール信号として１加算回路２１２のコントロール信号端子に入力される。
【００９６】
以上のように構成された第３の実施の形態の動作を図１５のタイミングチャートを参照して更に説明する。
【００９７】
図１５において、ＧＣＰ生成回路２１４からは、１Ｈ期間において、３３通りの階調レベルの差に対応して間隔が徐々に変化する３２個のパルスの列からなるＧＣＰ信号が生成される。
【００９８】
そして、図１５の下段に示したように、行及び列方向に隣接した複数の画素電極に対する、例えば階調レベル“５”を示すデジタル信号Ｄ０〜Ｄ５を入力として、１加算回路２１２からは、基準クロックＸＣＫに基づいてＸカウンタ２０２のＬＳＢが一定である期間毎に、階調レベルが“４”と“６”とを示すデジタル信号Ｄ０’〜Ｄ５’が交互に出力され、更にＹカウンタ２０４のＬＳＢが一定である１Ｈ期間毎に、階調レベルが“４”と“６”とを示すデジタル信号Ｄ０’〜Ｄ５’が交互に出力され、Ｘドライバ回路２１６に入力される。以上の動作が一のフレームに対して行われると、更に、次のフレームでは、特定アドレスの画素電極に対する、例えば階調レベルが５であるデジタル信号Ｄ０〜Ｄ５を入力として、同期信号ＶSYNCに基づいて１（Ｈレベル）又は０（Ｌレベル）となるフレームカウンタ２００のＬＳＢが一定である期間により規定されるフレーム毎に、階調レベルが交互に４と６であるデジタル信号Ｄ０’〜Ｄ５’が、１加算回路２１２から出力される。
【００９９】
以上のように、前述した第１の実施の形態と同様に、隣接する複数の画素における第１の平均化が行われ、更に前述した第２の実施の形態と同様に、隣接する複数の画素における第２の平均化も行われる。
【０１００】
図１６に、以上のように構成されたデータ信号駆動回路により生成されるデータ信号を用いた階調表示の原理を図式的に示す。尚、図１４では、フレームカウンタ２００を用いてフレーム毎に異なる階調レベルを交互に出力する構成としたが、フィールド毎に異なる階調レベルを交互に出力しても、ほぼ同様の効果が得られるので、図１６に示す例では、フィールド毎に異なる階調レベルを交互に出力する場合について説明する。
【０１０１】
図１６において、図１３の中央に示したように４つの隣接画素において階調レベルｎ＋０．５を表示する際には、第１フィールドにおいて、これら４つの画素のうち対角に位置する二つの画素夫々に対して、階調レベルｎに対応するパルス幅を持つデータ信号が生成され、データ線１４に供給され、且つ残りの二つの画素夫々に対して、階調レベルｎ＋１に対応するパルス幅を持つデータ信号が生成され、データ線１４に供給される（図１６の左側）。更に、これら４つの隣接画素の夫々について、階調レベルｎ＋０．５が第１の平均値に対応するように、第２フィールドでは、第１フィールドとは異なる階調レベルｎ（又はｎ＋１）に対応するパルス幅を持つデータ信号が生成され、データ線１４に供給される（図１６の中央）。同様に、これら４つの画素の夫々について、階調レベルｎ＋０．５が第１の平均値に対応するように、第３フィールドでは、第２フィールドとは異なり第１フィールドと同じである、階調レベルｎ（又はｎ＋１）に対応するパルス幅を持つデータ信号が生成され、データ線１４に供給される（図１６の右側）。
【０１０２】
更に、図１７及び図１８に示すように、時間的及び面積的な平均化を用いた、より複雑な駆動方法も可能である。
【０１０３】
即ち、図１７において、上段に示したように、各画素に対し階調レベル４と階調レベル６とを３：１の割合で表示させつつ、且つ下段に示したように、隣接する４つの画素同士は、１フィールド分ずつタイミングがずれるように駆動する。すると、これら４つの隣接画素については４フィールドで時間的にも面積的にも平均値が階調レベル４．５となる階調表示が可能となる。
【０１０４】
また、図１８において、上段に示したように、各画素に対し階調レベル４と階調レベル６とを６：２の割合で表示させしつつ、且つ下段に示したように、隣接する４つの画素同士は、１フィールド分ずつタイミングがずれるように駆動する。すると、これら４つの隣接画素については８フィールドで時間的にも面積的にも平均値が階調レベル４．５となる階調表示が可能となる。
【０１０５】
以上説明したように第３の実施の形態によれば、所定領域単位における第２の平均値が階調レベルに対応するように、データ信号は生成され、更に、これら複数の画素の夫々についての第１の平均値が階調レベルに対応するように、データ信号は生成されるので、例えば２通りの幅のパルスからなるデータ信号を用いて、それらの幅の間の幅を持つパルスに対応する階調レベルが、視覚上で時間的にも面積的にも均一化された階調レベルとして得られる。これらの結果、フリッカーを目立たなくしながら、ＧＣＰ信号を構成するパルス列の間隔を相対的に大きく出来るので有利である。
【０１０６】
（駆動回路の第４の実施の形態）
以上説明した各実施の形態においても、通常の液晶駆動の場合と同様に、液晶層１８の劣化を防止するため等の理由から、画素電極３４及びデータ線１４との間において液晶層１８に印加される電圧は１フィールド毎或いはフレーム毎にデータ信号の中間値を基準として極性が反転されるように駆動（交流駆動）される。このため、例えば、図１０に示した第１の実施の形態における駆動方法によれば、図１９において駆動方法Ａとして示すように、一つの画素について１フィールド毎にデータ信号（液晶駆動電圧）の極性が反転されている。ここで、１フィールド毎に例えば、階調レベル４と階調レベル６とを交互に表示した場合、階調レベル４の場合と階調レベル６の場合の駆動電圧の差に起因する直流成分が液晶層１８に印加されることになる。この印加される直流成分は、これらの階調レベルにおける液晶の配向状態の変化の実効値（液晶に印加される実効電圧値）が僅かであれば、殆ど問題とならない。しかしながら、液晶表示パネル１０のパネル特性等によっては、この実効値が無視し得ない場合（即ち、液晶に直流電圧が悪影響を及ぼす場合）も生じ得る。
【０１０７】
そこで、駆動回路の第４の実施の形態では、図１９において駆動方法Ｂとして示すように、駆動電圧印加の極性反転が２度行われて元に戻る周期と一致する２フィールド毎或いは２フレーム毎に階調レベルを切り換えるようにする。例えば、２フィールド毎に、階調レベル４と階調レベル６とを交互に表示する。このようにすると、２フィールドの間に駆動電圧の極性反転が２度行われて元に戻るため、階調レベルが４と６とであろうが、更に階調レベルが３と７であろうが、２フィールドの間毎に液晶に印加される直流成分を実質的に零にできる。以上のように、本実施の形態によれば、駆動方法Ａと比べて、液晶層に対する直流電圧の印加を低減することができる。
【０１０８】
但し、表示画面上のフリッカーの観点からは、図１９に示した駆動方法Ｂの方が駆動方法Ａよりも不利となる。このように、直流電圧の印加とフリッカーとは、トレードオフの関係にあるため、駆動方法Ａを選択するか駆動方法Ｂを選択するかは、各液晶表示パネル１０のパネル特性、直流耐圧性、応答スピード等を加味して決定するのが好ましい。
【０１０９】
尚、本実施の形態における駆動方法Ｂを採用する場合には、前述の駆動回路の第３の実施の形態の場合（図１６参照）と同様に、図２０に示すように、好ましくは、第１の平均化に加えて第２の平均化も行うように隣接画素間における階調レベルを切り換える。これにより、フリッカーを目立たなくすることができる。
【０１１０】
以上説明した液晶表示パネル１０は、例えばカラー液晶プロジェクタに適用される場合には、３つの液晶表示パネル１０がＲＧＢ用のライトバルブとして夫々用いられ、各パネルには夫々ＲＧＢ色分解用のダイクロイックミラーを介して分解された各色の光が入射光として夫々入射されることになるので、対向基板３２上にカラーフィルタを設ける必要はない。他方、液晶表示パネル１０は、例えば直視型や反射型のカラー液晶テレビに適用される場合には、画素電極３４に対向する所定領域にＲＧＢのカラーフィルタをその保護膜と共に、対向基板３２上に形成してもよい。
【０１１１】
液晶表示パネル１０において、ＭＩＭアレイ基板３０側における液晶分子の配向不良を抑制するために、画素電極３４、ＭＩＭ駆動素子２０、走査線１２等の全面に平坦化膜をスピンコート等で塗布してもよく、又はＣＭＰ処理を施してもよい。
【０１１２】
また、以上の実施の形態では、所謂“４値駆動法”に基づいて、第１又は第２の平均化を行うようにしたが、本発明によれば、例えば特開平２−１２５２２５号公報等に開示された充放電駆動法に基づいて同様に時間的又は面積的な平均化を行うことも可能である。
【０１１３】
更に、液晶表示パネル１０においては、一例として液晶層１８をネマティック液晶から構成したが、液晶を高分子中に微小粒として分散させた高分子分散型液晶を用いれば、前述の配向膜、偏光フィルム、偏光板等が不要となり、光利用効率が高まることによる液晶表示パネルの高輝度化や低消費電力化の利点が得られる。更に、画素電極３４をＡｌ等の反射率の高い金属膜から構成することにより、液晶表示パネル１０を反射型液晶表示装置に適用する場合には、電圧無印加状態で液晶分子がほぼ垂直配向されたＳＨ（スーパーホメオトロピック）型液晶などを用いても良い。更にまた、液晶表示パネル１０においては、液晶層に対し垂直な電界（縦電界）を印加するように対向基板３２の側にデータ線１４を設けているが、液晶層に平行な電界（横電界）を印加するように一対の横電界発生用の電極から画素電極３４を夫々構成する（即ち、対向基板３２の側には縦電界発生用の電極を設けることなく、ＭＩＭアレイ基板３０の側に横電界発生用の電極を設ける）ことも可能である。このように横電界を用いると、縦電界を用いた場合よりも視野角を広げる上で有利である。その他、各種の液晶材料（液晶相）、動作モード、液晶配列、駆動方法等に本実施の形態を適用することが可能である。
【０１１４】
（電子機器）
次に、以上詳細に説明した液晶表示パネル１０、走査信号駆動回路１００及びデータ信号駆動回路１１０を備えた電子機器の実施の形態について図２１から図２５を参照して説明する。
【０１１５】
先ず図２１に、このように液晶表示パネル１０等を備えた電子機器の概略構成を示す。
【０１１６】
図２１において、電子機器は、表示情報出力源１０００、表示情報処理回路１００２、前述の走査信号駆動回路１００及びデータ信号駆動回路１１０を含む駆動回路１００４、前述の液晶表示パネル１０、クロック発生回路１００８並びに電源回路１０１０を備えて構成されている。表示情報出力源１０００は、ＲＯＭ（Read  Only  Memory）、ＲＡＭ（Random  Access  Memory）、光ディスク装置などのメモリ、同調回路等を含み、クロック発生回路１００８からのクロックに基いて、所定フォーマットのビデオ信号などの表示情報を表示情報処理回路１００２に出力する。表示情報処理回路１００２は、増幅・極性反転回路、相展開回路、ローテーション回路、ガンマ補正回路、クランプ回路等の周知の各種処理回路を含んで構成されており、クロックに基いて入力された表示情報から前述の６ビットの６４階調のデジタル信号DATA（Ｄ０〜Ｄ５）を順次生成し、クロックCLKと共に駆動回路１００４に出力する。駆動回路１００４は、走査信号駆動回路１００及びデータ信号駆動回路１１０によって前述の駆動方法により液晶表示パネル１０を駆動する。電源回路１０１０は、上述の各回路に所定電源を供給する。尚、液晶表示パネル１０を構成するＭＩＭアレイ基板の上に、駆動回路１００４を搭載してもよく、これに加えて表示情報処理回路１００２を搭載してもよい。
【０１１７】
次に図２２〜図２５に、このように構成された電子機器の具体例を夫々示す。
【０１１８】
図２２において、電子機器の一例たる液晶プロジェクタ１１００は、上述した駆動回路１００４がＭＩＭアレイ基板上に搭載された液晶表示パネル１０を含む液晶表示モジュールを３個用意し、夫々ＲＧＢ用のライトバルブ１０Ｒ、１０Ｇ及び１０Ｂとして用いた投射型プロジェクタとして構成されている。液晶プロジェクタ１１００では、白色光源のランプユニット１１０２から投射光が発せられると、ライトガイド１１０４の内部で、複数のミラー１１０６を介して、２枚のダイクロイックミラー１１０８によって、ＲＧＢの３原色に対応する光成分Ｒ、Ｇ、Ｂに分けられ、各色に対応するライトバルブ１０Ｒ、１０Ｇ及び１０Ｂに夫々導かれる。そして、ライトバルブ１０Ｒ、１０Ｇ及び１０Ｂにより夫々変調された３原色に対応する光成分は、ダイクロイックプリズム１１１２により再度合成された後、投写レンズ１１１４を介してスクリーンなどにカラー画像として投写される。
【０１１９】
図２３において、電子機器の他の例たるラップトップ型のパーソナルコンピュータ１２００は、上述した液晶表示パネル１０がトップカバーケース内に備えられており、更にＣＰＵ、メモリ、モデム等を収容すると共にキーボード１２０２が組み込まれた本体１２０４を備えている。
【０１２０】
図２４において、電子機器の他の例たるページャ１３００は、金属フレーム１３０２内に前述の駆動回路１００４がＭＩＭアレイ基板上に搭載されて液晶表示モジュールをなす液晶表示パネル１０が、バックライト１３０６ａを含むライトガイド１３０６、回路基板１３０８、第１及び第２のシールド板１３１０及び１３１２、二つの弾性導電体１３１４及び１３１６、並びにフィルムキャリアテープ１３１８と共に収容されている。この例の場合、前述の表示情報処理回路１００２（図２１参照）は、回路基板１３０８に搭載してもよく、液晶表示パネル１０のＭＩＭアレイ基板上に搭載してもよい。更に、前述の駆動回路１００４を回路基板１３０８上に搭載することも可能である。
【０１２１】
尚、図２４に示す例はページャであるので、回路基板１３０８等が設けられている。しかしながら、駆動回路１００４や更に表示情報処理回路１００２を搭載して液晶表示モジュールをなす液晶表示パネル１０の場合には、金属フレーム１３０２内に液晶表示パネル１０を固定したものを液晶表示装置として、或いはこれに加えてライトガイド１３０６を組み込んだバックライト式の液晶表示装置として、生産、販売、使用等することも可能である。
【０１２２】
また図２５に示すように、駆動回路１００４や表示情報処理回路１００２を搭載しない液晶表示パネル１０の場合には、駆動回路１００４や表示情報処理回路１００２を含むＩＣ１３２４がポリイミドテープ１３２２上に実装されたＴＣＰ（Tape  Carrier  Package）１３２０に、ＭＩＭアレイ基板３０の周辺部に設けられた異方性導電フィルムを介して物理的且つ電気的に接続して、液晶表示装置として、生産、販売、使用等することも可能である。
【０１２３】
以上図２２から図２５を参照して説明した電子機器の他にも、液晶テレビ、ビューファインダ型又はモニタ直視型のビデオテープレコーダ、カーナビゲーション装置、電子手帳、電卓、ワードプロセッサ、ワークステーション、携帯電話、テレビ電話、ＰＯＳ端末、タッチパネルを備えた装置等などが図２１に示した電子機器の例として挙げられる。
【０１２４】
以上説明したように、本実施の形態によれば、比較的簡易な構成を持ち、高階調表示が可能であり且つ階調表示における信頼性が高い液晶表示装置を備えた各種の電子機器を実現できる。
【０１２５】
【発明の効果】
本発明によれば、Ｎ通りの幅のパルスからなるデータ信号を用いて、例えば数倍等のＭ通り（但し、Ｍ＞Ｎ）の階調レベルを実現できる。この結果例えば、前述のＧＣＰ信号に基づいてデータ信号駆動手段によりデータ信号を生成する場合に、ＧＣＰ信号を構成するパルス列の間隔を狭めることなく、階調数を増やすことが出来る。このため、階調数を増やすために特に階調レベルが高い側におけるＧＣＰ信号を構成するパルス列の間隔を狭めないで済み、ＧＣＰ信号を生成する回路やデータ信号駆動手段に高速動作させる必要も無くなる。従って、ＧＣＰ信号を構成するパルス列の間隔を狭めるために、動作クロックの周期を短くする必要性も無くなり、高性能のクロックは不要となり、消費電力の増加も防げる。更にこのように比較的低速な動作を行うことにより、温度変化等の外的影響や動作環境等に起因したＧＣＰ信号やデータ信号のパルスの遅延時間の少しの変化により階調レベルが狂う事態を未然に防止し得、動作の安定性が格段に高まる。
【０１２６】
特に簡易な構成及び製造方法を長所とするＭＩＭ等の２端子型非線形素子を用いた液晶表示パネルを備えた液晶表示装置においては、このような駆動装置における簡易化及びそれに伴う低コスト化は、非常に有意義である。
【図面の簡単な説明】
【図１】  本発明による液晶表示パネルの実施の形態に備えられるＭＩＭ駆動素子の一例を画素電極と共に示す平面図である。
【図２】  図１のＡ−Ａ断面図である。
【図３】  液晶表示パネルの実施の形態に備えられるＭＩＭ駆動素子の他の例を示す断面図である。
【図４】  液晶表示パネルの実施の形態に備えられるＭＩＭ駆動素子の更に他の例を画素電極と共に示す平面図である。
【図５】  図４のＢ−Ｂ断面図である。
【図６】  液晶表示パネルの実施の形態を構成する回路を示す等価回路図である。
【図７】  液晶表示パネルの実施の形態を模式的に示す部分破断斜視図である。
【図８】  本発明によるデータ信号駆動回路の第１の実施の形態を示すブロック図である。
【図９】  データ信号駆動回路の第１の実施の形態の動作を示すタイミングチャートである。
【図１０】  データ信号駆動回路の第１の実施の形態の動作原理を示す概念図である。
【図１１】  本発明によるデータ信号駆動回路の第２の実施の形態を示すブロック図である。
【図１２】  データ信号駆動回路の第２の実施の形態の動作を示すタイミングチャートである。
【図１３】  データ信号駆動回路の第２の実施の形態の動作原理を示す概念図である。
【図１４】  本発明によるデータ信号駆動回路の第３の実施の形態を示すブロック図である。
【図１５】  データ信号駆動回路の第３の実施の形態の動作を示すタイミングチャートである。
【図１６】  データ信号駆動回路の第３の実施の形態の動作原理を示す概念図（その１）である。
【図１７】  データ信号駆動回路の第３の実施の形態の動作原理を示す概念図（その２）である。
【図１８】  データ信号駆動回路の第３の実施の形態の動作原理を示す概念図（その３）である。
【図１９】  データ信号駆動回路の第４の実施の形態の動作原理を示す概念図（その１）である。
【図２０】  データ信号駆動回路の第４の実施の形態の動作原理を示す概念図（その２）である。
【図２１】  本発明による電子機器の実施の形態の概略構成を示すブロック図である。
【図２２】  電子機器の一例としての液晶プロジェクタを示す断面図である。
【図２３】  電子機器の他の例としてのパーソナルコンピュータを示す正面図である。
【図２４】  電子機器の一例としてのページャを示す分解斜視図である。
【図２５】  電子機器の一例としてのＴＣＰを用いた液晶表示装置を示す斜視図である。
【図２６】  従来のＧＣＰ信号を用いて階調表示を行う際のタイミングチャートである。
【図２７】  階調レベルに対する１Ｈ期間中のデータ信号駆動用のパルスのオン幅の変化を示す特性図である。
【図２８】  ＧＣＰ信号を構成する各パルスのパルス間隔の変化を示す特性図である。
【符号の説明】
１０…液晶表示パネル
１２、４８…走査線
１４…データ線
１８…液晶層
２０、２０’、４０ａ、４０ｂ…ＭＩＭ駆動素子
３０…ＭＩＭアレイ基板
３２…対向基板
３４、４５…画素電極
１００…走査線駆動回路
１１０、１１０ａ、１１０ｂ、１１０ｃ…データ線駆動回路
２００…フレームカウンタ
２０２…Ｘカウンタ
２０４…Ｙカウンタ
２１２…１加算回路
２１４…ＧＣＰ生成回路
２１６…Ｘドライバ回路
１１００…液晶プロジェクタ
１２００…パーソナルコンピュータ
１３００…ページャ
【図１】
0003767127.tif 000002
【図２】
0003767127.tif 000003
【図３】
0003767127.tif 000004
【図４】
0003767127.tif 000005
【図５】
0003767127.tif 000006
【図６】
0003767127.tif 000007
【図７】
0003767127.tif 000008
【図８】
0003767127.tif 000009
【図９】
0003767127.tif 000010
【図１０】
0003767127.tif 000011
【図１１】
0003767127.tif 000012
【図１２】
0003767127.tif 000013
【図１３】
0003767127.tif 000014
【図１４】
0003767127.tif 000015
【図１５】
0003767127.tif 000016
【図１６】
0003767127.tif 000017
【図１７】
0003767127.tif 000018
【図１８】
0003767127.tif 000019
【図１９】
0003767127.tif 000020
【図２０】
0003767127.tif 000021
【図２１】
0003767127.tif 000022
【図２２】
0003767127.tif 000023
【図２３】
0003767127.tif 000024
【図２４】
0003767127.tif 000025
【図２５】
0003767127.tif 000026
【図２６】
0003767127.tif 000027
【図２７】
0003767127.tif 000028
【図２８】
0003767127.tif 000029